(57)【要約】      （修正有）【課題】養殖場へドロを再生利用し、この利用による集魚環境の改善、藻場への応用、さらにヘドロ環境の改善を促進する人工漁礁を提供する。【解決手段】ハマチ・鯛等養殖場で生じる養殖場ヘドロを主材料と固形材等を混練して固化成形したブロック型人工漁礁である。固形材等により所定の硬さに成形され、海底投下設置するブロック型人工漁礁を海底の焼けた場所へ設置する。公害泥土の再利用と健全な土として自然に帰し、環境問題の解消に寄与すると共に集魚機能の向上を図ることができる。【選択図】図１
0003188617.tif 000002
【実用新案登録請求の範囲】
【請求項１】
ハマチ・鯛等養殖場で生じる養殖場ヘドロを主材料と固形材等を混練して固化成形したブロック型人工漁礁であって、前記固形材等により所定の硬さに成形され、海底投下設置する前記ブロック型人工漁礁を海底の焼けた場所への設置する人工漁礁。
【請求項２】
請求項１記載の人工漁礁において、当該人工漁礁が栄養価豊富な養殖場ヘドロを原料とし且つ人工漁礁自体が、魚の餌となる小動物、虫等の住処となる材料、硬さを有している人工漁礁。
【請求項３】
請求項１又は２項記載の人工漁礁において、当該人工漁礁の表面に海底投下直前に形成される海草育成部を備え、当該海草育成部には、昆布等海草が種蒔きされるか又は苗が植えられた人工漁礁。
【考案の詳細な説明】
【技術分野】
【０００１】
本考案は、養殖場ヘドロを主材料として製造した人工漁礁に関する考案であり、養殖場ヘドロの除去による海底汚染による環境改善を図ると共に、従来環境汚染物質として厄介物であった養殖場ヘドロを再利用材として、海底汚染のない人工漁礁として再利用可能とし、かつ当該人工漁礁に海草苗種を移植植設することにより、海草ブロックないし分解型海草固形体としてもその利用を図ることのできる養殖場ヘドロを主材料とした人工漁礁に係る考案である。
【背景技術】
【０００２】
近年、国際的に漁場は乱獲等の問題があり、養殖の必要度が高くなってきた。それに伴い養殖場における餌の残渣、魚の糞等による富栄養化した養殖場ヘドロが養殖場の底部に多量に発生し蓄積されることとなった。その結果、赤潮の発生等、海を大変汚染することになってきた。そこでこの環境の悪化を防ぐために、この養殖場ヘドロの処理が国際的にも問題視されてきた。
しかし、その解決策として、この養殖場へドロを除去して他の場所へ移動し処分するには、莫大な費用を要する。
【０００３】
然るに、本考案ではこれを漁場に有効に利用して、ヘドロの処理することに着目し、その目的を達成したものである。一般にはヘドロの水分を極力減らし、セメント等を多量に混入して固化することが考えられ、またそれを実施した例もある。しかし、これも非常に費用がかかる。また、上記養殖場ヘドロの場合には、このようなヘドロが多くの有機物を含有しているためセメントを多量に混入しないと固化しないのである。このような有機物を含有しているヘドロは固化作用の水和反応が妨げる作用をするからである。これを防ぐには石膏を入れることにより、その作用を緩和することができる。その場合、固化材としてポルトランドセメントに加えて、ポルトランドセメント以外に、高炉鉱滓もしくはそれに準じるものを加えることにより固化したヘドロの硬度を調節することができる。この高炉鉱滓の添加量による硬度調節は、この人工漁礁、藻場が魚餌として、藻植え付け・育成土壌として適当な硬さを保つことが必要であるからである。
【０００４】
さらに詳細に説明すれば、この人工漁礁において、人工漁礁そのものが魚の餌になる虫等が住み着くための適当な硬さが必要である。コンクリートのような非常に硬い場合は、虫等が住み家とはならないからである。また、藻場の場合でも、適当な硬さがないと根が定着しないのである。
上記した養殖へドロを固めた人工漁礁、又は分解型海草固形体とした人工漁礁を海底に設置するには、その作業に耐え得る強度が必要である。この場合、あまり硬すぎると、魚の餌となる虫等が住みつかなくなる。この硬さはケースバイケースでヘドロの性質も異なるので、ケースごとにサンプリングをして、サンプル試験を行い、そのデータを基に適切な固化剤の割合を設定し、目的の人工漁礁並びに分解型海草固形体の人工漁礁を製造するものである。
【先行技術文献】
【特許文献】
【０００５】
【特許文献１】特開昭６１−１８７７３１号公報
【考案の概要】
【考案が解決しようとする課題】
【０００６】
考案が解決しようとする問題点は、養殖場ヘドロの再生利用としての人工漁礁の提供と、この人工漁礁の利用による集魚環境の改善、藻場への応用、さらにヘドロ環境の改善を促進するものである。
【課題を解決するための手段】
【０００７】
本考案は、  ハマチ・鯛等養殖場で生じる養殖場ヘドロを主材料と固形材等を混練して固化成形したブロック型人工漁礁であって、前記固形材等により所定の硬さに成形され、海底投下設置する前記ブロック型人工漁礁を海底の焼けた場所への設置する人工漁礁を提供する。
また、人工漁礁において、当該人工漁礁が栄養価豊富な養殖場ヘドロを原料とし且つ人工漁礁自体が、魚の餌となる小動物、虫等の住処となる材料、硬さを有している人工漁礁を提供する。
本考案による養殖場ヘドロを主材料と固形材等を混練して固化成形したブロック型人工漁礁は、これを海底投下設置した際、当該ブロック型人工漁礁が豊富な営養化した養殖場ヘドロを原料とし、且つ人工漁礁自体が小動物、虫の住処となると共に魚等が餌として噛み砕き得る硬度を有するものであるので、前記ブロック型人工漁礁を集魚等餌ブロックとしての使用が可能となる。ここで、前記固形材等として、具体的には、例えばポルトダントセメント、高炉鉱滓、石膏が添加された人工漁礁である。
【０００８】
また、本考案は、当該人工漁礁の表面に海草育成部を備えた分解型人工漁礁をも提供する。
この場合、昆布等海草が種蒔きされるか又は苗が植えられる。具体的には、前記人工漁礁表面の海草育成部が、当該人工漁礁の表面に穿設された下穴に藻・昆布等の海草種蒔きし同材で閉栓するか又は海草苗を移植して形成され、当該人工漁礁自体がプランター的機能を有した使用方法ということができる。
【０００９】
なお、人工漁礁の形状は、製造の簡単な直方形の中実ブロック体が一般的に採用されるが、角形の他、任意の形状の塊であってもよい。また、中空形状あるいは枠内に空間を形成する形状に形成するものであっても差し支えない。
【考案の効果】
【００１０】
本考案によれば、人工漁礁の材料は、ハマチ・鯛等養殖場で生じる富栄養化の高い養殖場ヘドロを主材料とし、固化材としてポルトランドセメントと、更に、高炉鉱滓もしくはそれに準じるものを加えて固化したブロック体であるので、海底に投下されたブロック体の人工漁礁は、当該人工漁礁内に魚の餌となる生物が穴居して住み着くようになり、更にこの穴居生物を求めて魚が人工漁礁を突いて噛み崩すなどして少しずつ表面が破砕される。穴居生物、虫が居住し、破砕により形の崩された人工ブロックにおいても、この人工ブロックから破砕され海底に堆積する細粒土についても、それぞれ生物が繁殖する環境が形成される。ここにおいて海洋生物の生循環環境が形成されると共に人工漁礁は自然の海底土に戻ることになる。以上から、富栄養化の高い養殖場へドロを主材料とする人工漁礁は、ブロック体、破砕された堆積細粒の低質共に従来同様の集魚効果が期待される。
【図面の簡単な説明】
【００１１】
【図１】養殖場へドロを主成分とする人工漁礁の製作工程を示す図であり、養殖場へドロ製人工漁礁の製造ライン（図下方左側：実施例１）と、養殖場へドロ製人工漁礁においてその表面に海草育成部を形成した養殖場へドロ製植藻漁礁の製造ライン（図下方右側：実施例２）が示される。
【図２】養殖場へドロ製人工漁礁の表面における海草育成部の形成方法を示す概要図である。（実施例２）
【考案を実施するための形態】
【００１２】
海底の焼けた場所でも漁礁の集魚性を向上できるように人工漁礁をハマチ・鯛等養殖場で生じる富栄養化の高い養殖場ヘドロを主材とした製造された人工ブロックにより実現した。
【実施例１】
【００１３】
本考案の実施例に係る人工魚礁は、ハマチ・鯛等養殖場で生じる富栄養化の高い養殖場ヘドロを主材料として製造される。養殖場海底に蓄積された養殖場ヘドロは海底から浚渫ポンプ（図示省略）により、所定の有底型枠（図示省略）内に浚渫供給され、上澄み液を排出し浚渫泥土が貯蔵される。この貯蔵泥土に固化材としてポルトランドセメントと、これに加えて、高炉鉱滓もしくはそれに準じるものを添加して混練し養生し固化する。固化したブロック体としてより製造され、図２に符合Ｂで示される。その製造に当っては、従来公知の人工魚礁と同様、公知の型枠を用いて製造されたものであり、製造工程図１にその概要が示される。
【００１４】
また、上記各実施例において、製造される人工漁礁内に貝殻、例えば食用蠣の殻や養殖真珠貝の殻等をそのまま或いは粉砕して混入することができ、貝殻等を混入することにより、集魚効果がより高めることができる。
【００１５】
実際、前記養殖へドロを主材料とする人工漁礁に住み着く穿孔性生物として、小形甲殻類のナナツバコツブムシ等が確認されている。またこの穿孔性甲殻小動物を求める魚として、例えば石鯛（スズキ目の魚）が挙げられる。さらに、石鯛につつかれて粉砕され海底に堆積する人工漁礁の細粒化した固化泥土に例えばごかいが住みつき繁殖する。これにより、前記人工漁礁は最終的に健全な自然状態の海底土として再生される。
【実施例２】
【００１６】
前記実施例１における、ハマチ・鯛等養殖場で生じる養殖場ヘドロを主材料と固形材等を混練して固化成形したブロック型人工漁礁であって、これを海底投下設置した際、当該ブロック型人工漁礁が豊富な営養化した養殖場ヘドロを原料とし、且つ人工漁礁自体が小動物、虫の住処となると共に魚等が餌として噛み砕き得る硬度を有するものであることにより、前記ブロック型人工漁礁を集魚等餌ブロックとして使用可能とした人工漁礁において、当該人工漁礁の表面に、昆布、わかめ海草育成部を備えることもできる（図２のＢ１参照）。この場合、人工漁礁を海底へ投下する直前に、予め別途育成した移植用の海草苗が人工漁礁の表面に公知の適宜の手段により取着植設され、その後海中へ投下される。
【００１７】
取着手段として、例えば、図２にＢ２で示すように、前記人工漁礁表面に穿設された下穴1内に藻・昆布等の海草種を種蒔きし（図示省略）、その上で、海中投下時に海水に浸漬できるが、抜け出さないように孔付き栓2で止着することでも差し支えない。
前記海草育成部を備えるブロック型人工漁礁は、海底に設置して上記したように藻場を形成するものとして使用する場合でも、適当な硬さがないと根が定着しないので、根の定着に支障のない硬さを有していることはもちろんである。
この実施例２の人工漁礁を端的に表現すれば、実施例１の人工漁礁に対して、海草育成部を設けた分解型海草固形体である人工漁礁ということができる。
【００１８】
本考案によれば、ブロック型人工漁礁におけるその製造材料として養殖場ヘドロを利用し、当該ブロック型人工漁礁が、豊富な栄養価養殖場ヘドロを原料とし、且つポルトランドセメントと高炉鉱滓を添加することにより硬度調整されているので、海底に投下設置された際、当該人工漁礁内に魚の餌となる生物が穴居して住み着き、魚の餌となる生物を繁殖させ、この穴居生物を求めて集魚し、その際、集魚による噛み崩され、破砕され堆積した海底細粒土にも生物が繁殖し、集魚環境が形成され、集魚効果が期待される。
また、ここにおいて、自然生態系の循環作用を介して養殖場ヘドロ等の公害泥土を健全な土として自然に返すことが可能になるので環境問題の解消に寄与することができることはもちろんである。
【００１９】
さらに本考案に係る人工漁礁において、当該人工漁礁の表面に海草育成部を備えたものとした場合には、これを海底に沈下設置して藻を成長させる藻場としてこれを造成することができる。
この分解型海草固形体である人工漁礁の場合は、豊富な栄養価養殖場ヘドロを原料とする成形ブロック、その破砕堆積物に住み着く生物を求めての集魚と合わせて、成長した藻の生えた藻場による魚類の住処の好環境を作り出すことができるので、一層の集魚が期待できる。
【符合の説明】
【００２０】
１  下穴
２  穴付き栓
Ｂ  養殖へドロ製人工漁礁
Ｂ１  海草苗移植養殖へドロ製人工漁礁
Ｂ２  海草種移植養殖へドロ製人工漁礁
【図１】
0003188617.tif 000003
【図２】
0003188617.tif 000004